(57)【要約】  リレー機構（１）は、第１の接続部（９、１０、１５、１６）及び第２の接続部（７、８、１７、１８）を介して主回路基板に機械的及び電気的に接続される少なくとも２つの直列接続されたリレー（２、３）と、この少なくとも２つの直列接続されたリレー（２、３）間で電力を運ぶための少なくとも１つの平型導体（１３、１４）とを含む。平型導体（１３、１４）は、主回路基板に機械的に接続され、且つリレー（２、３）の動作中に発生した熱の放散を可能にするためにリレー（２、３）の第１の接続部（９、１０、１５、１６）に電気的及び熱的に接続される。このリレー機構は、複数のインバータブリッジを有する変換機器内のネットワーク断路器として使用され得る。【選択図】図１
2020505731.tif 000002
【特許請求の範囲】
【請求項１】
リレー機構（１）において、
−  第１の端子（９、１０、１５、１６）及び第２の端子（７、８、１７、１８）を介して主プリント回路基板に機械的及び電気的に接続される少なくとも２つの直列接続されたリレー（２、３）、
−  前記少なくとも２つの直列接続されたリレー（２、３）間で電流を伝導させるための少なくとも１つの平型導体（１３、１４）であって、前記主プリント回路基板に機械的に接続され、且つ前記リレー（２、３）の動作中に発生した熱の放散をもたらすために前記リレー（２、３）の前記第１の端子（９、１０、１５、１６）に電気的及び熱的に接続される少なくとも１つの平型導体（１３、１４）
を含むことを特徴とするリレー機構（１）。
【請求項２】
請求項１に記載のリレー機構（１）において、互いに隔離され、及び互いに空間的に平行に且つ隣接して配置される複数の平型導体（１３、１４）は、それぞれ多極リレーの直列接続された第１の端子又は異なるリレーの複数の第１の端子を互いに電気的に接続することを特徴とするリレー機構（１）。
【請求項３】
請求項２に記載のリレー機構において、前記複数の平型導体（１３、１４）は、多層プリント回路基板として具現化されることを特徴とするリレー機構。
【請求項４】
請求項３に記載のリレー機構において、前記多層プリント回路基板は、前記主プリント回路基板の平面に実質的に垂直に配置されることを特徴とするリレー機構。
【請求項５】
請求項３又は４に記載のリレー機構において、前記主プリント回路基板の前記平面に対して前記多層プリント回路基板の位置を固定するための固定具が設けられることを特徴とするリレー機構。
【請求項６】
請求項１乃至５の何れか１項に記載のリレー機構において、前記リレーの前記第１の端子は、前記第２の端子と比べてより大きいライン断面で具現化され、且つ前記リレーの静止動作接点に直接的に接続される前記リレーの端子によって形成されることを特徴とするリレー機構。
【請求項７】
請求項３乃至５の何れか１項に記載のリレー機構において、前記多層プリント回路基板は、少なくとも１つの中央銅層と、前記中央銅層を取り囲む２つの外側銅層とを有し、前記中央銅層は、測定機器に接続され、及び前記外側銅層は、前記第１の端子の同じものに接続されることを特徴とするリレー機構。
【請求項８】
請求項７に記載のリレー機構において、前記少なくとも２つの直列接続されたリレー間の中間電位は、前記測定機器によって前記中央銅層において決定されることを特徴とするリレー機構。
【請求項９】
変換装置において、複数のインバータブリッジと、グリッド断路器としての請求項１乃至８の何れか１項に記載のリレー機構とを有することを特徴とする変換装置。
【請求項１０】
請求項９に記載の変換装置において、前記複数のインバータブリッジの位相の電流は、前記少なくとも２つの直列接続されたリレーのリレー接点を介してそれぞれ個別に伝導され、且つ前記少なくとも２つの直列接続されたリレーの前記第２の端子の１つで結合されて結合位相接続を形成することを特徴とする変換装置。
【請求項１１】
請求項１０に記載の変換装置において、前記複数のインバータブリッジの位相の前記電流は、同じリレーの異なるリレー接点を介して流れることを特徴とする変換装置。
【請求項１２】
請求項１０に記載の変換装置において、前記複数のインバータブリッジの位相の前記電流は、異なるリレーのリレー接点を介して流れることを特徴とする変換装置。
【発明の詳細な説明】
【技術分野】
【０００１】
本発明は、改善された熱放散を有するリレー機構及びそのようなリレー機構を有する変換装置に関し、従って特にリレーの動作中に発生する熱の放散を改善するのに役立つ。
【背景技術】
【０００２】
本発明によるリレー機構は、少なくとも２つの直列接続されたリレーを含む。例えば、インバータなどの変換装置では、そのようなリレー機構は、グリッド断路器の形態で使用され得る。例えば、分散型の回生式電源から統合グリッドにエネルギーを供給するインバータは、統合グリッドで不具合が発生した場合、不具合を解消するために作業している人々を危険にさらさないようにグリッドから確実に切断することができなければならない。この理由のため、そのようなグリッド断路器は、単一故障安全性を有するように設計されなければならないという規則があり、これは、１つのリレーに障害が発生した場合でも接続を確実に切断きることを意味する。従って、２つのリレー又はより大きい装置の場合、１グリッド供給経路当たりの接触器は、多くの場合、直列接続され、その結果、１つのリレーに欠陥が生じた場合、直列接続された２番目のものがグリッドの切断を実行することができる。
【０００３】
例えば、半導体スイッチなどの電子部品の場合、それらの電子部品は、その動作中に著しい電力損失を生じることが知られている。この理由のため、半導体スイッチが多くの場合にヒートシンクに適用されるか、又は動作中に発生した熱を放散させるためにファンを使用して部品に沿って冷却用気流を伝導させる。予期される最大電力損失は、それぞれの電子部品のデータシートに明記されている。従って、放散されるべき熱の量は、例えば、所望の回路構成のシミュレーションモデルを使用して計算又はシミュレートすることができる。
【０００４】
対照的に、リレーについて、そのような情報は、これまで最大でも典型的な値として存在してきた。データシート又は「アプリケーション注釈」の何れも動作中に発生する最大の発熱を示していない。本発明に関連して、通常の動作中のリレーにおいて驚くほど高い電力損失が特定され、前記高い電力損失は、リレー機構を熱的に過負荷状態にすることができるため、冷却措置を考慮に入れなければならない。更に、費用上の理由から、軽量構造を有し、且つその結果得られる低通電容量を有する非常に小型のリレーを用いることが多くの場合に望まれる。このとき、コンパクトな設計の場合、構成部品のあまり堅牢でない実施形態のため、熱放散特性が更に低くなる。これは、リレーの改善された熱放散を提供しようという更なる動機につながる。
【０００５】
従来技術は、例えば、半導体モジュールが適用されるバスバーを開示しており、そのバスバーは、例えば、独国特許第１０２００４０１８４６９Ｂ３号明細書に記載されるように、半導体モジュールに電流を運ぶ役割を果たし、冷却機器と広範囲に熱的に接触している。冷却自体は、非常に小型の冷却機器によって行われ、この冷却機器は、ここでは、バスバーと共にバスバーアセンブリとして示される。半導体モジュール自体は、導電性基板上に半導体スイッチを含み、この基板は、半導体モジュールの電気的接触接続及び熱的結合の両方の役割を果たす。ここでは、電流伝導及び熱放散のために複数の構成部品が必要であることが不利である。
【０００６】
国際公開第２０１５／１８４５４６Ａ１号パンフレットは、電子スイッチが適用されるバスバーを開示しており、このバスバーは、スイッチをＴ字型構成で冷却機構に接続する。ここでは、電流伝導及び熱放散のために異なる構成部品も必要である。
【０００７】
リレーに関して、発熱が低いことが想定されていたため、これまで、明示的な熱放散措置は提案されていなかった。従って、例えば、主プリント回路基板上のリレーの接触接続及び主プリント回路基板上に配置された導体トラックへの熱の伝達により、低い熱量で十分であるべきである。
【０００８】
しかしながら、リレーの動作中、本発明に関連して特定される最大接触抵抗がより高くなると、リレー機構がそれに応じて寸法決めされていない場合、リレー機構の熱的過負荷をもたらし得る。
【発明の概要】
【０００９】
従って、本発明の目的は、費用対効果が高く、設計上依然としてコンパクトであり、出来る限り少ない追加部品を管理する、改善された熱放散を有するリレー機構を規定することである。
【００１０】
本発明による改善された熱放散を有するリレー機構は、少なくとも２つの直列接続されたリレーを有し、これらのリレーは、第１及び第２の端子を介して主プリント回路基板に機械的及び電気的に接続される。この場合、少なくとも２つの直列接続されたリレー間で電流を伝導させるための少なくとも１つの平型導体が配置され、この平型導体は、主プリント回路基板に機械的に接続され、且つリレーの動作中に発生した熱の放散をもたらすためにリレーの第１の端子に電気的及び熱的に接続される。この場合、平型導体は、有利には、良好な電気導体及び良好な熱導体の両方であるべきである。従って、平型導体は、例えば、銅板から作製することができる。平らな実施形態のため、リレーの動作中に発生した熱を平型導体に分散させ、周囲に放散させることができる。
【００１１】
一実施形態では、本発明によるリレー機構は、複数の平型導体を有し、それらの平型導体は、互いに隔離され、及び互いに空間的に平行に且つ隣接して配置される。互いに隔離される複数の平型導体は、それぞれ多極リレーの直列接続された第１の端子又は異なるリレーの複数の第１の端子を互いに電気的に接続する。互いに絶縁された複数の平型導体は、積層バスバー、より固い銅板又は類似のものであり得る。
【００１２】
更なる実施形態では、複数の平型導体は、多層プリント回路基板として具現化される。２つの銅製の外側層を有する標準的な回路基板とは対照的に、「多層基板」とも呼ばれる多層プリント回路基板では、更なる銅層がコアに一体化される。
【００１３】
多層プリント回路基板としての平型導体の実施形態は、複数の平型導体と、前記平型導体間に必要な隔離とが同時に提供されるという利点を有する。従って、例えば４つのスイッチング接点をそれぞれ有する２つの直列接続されたリレーの場合、少なくとも４つの導体トラックを一体的な構成要素として有するプリント回路基板により、電気的接続及び必要とされる熱放散を保証することができる。多層プリント回路基板の特に平らな設計により、例えば多極リレーの第１の端子からの良好な熱の伝達が確実になり、なぜなら、複数の第１の端子と多層プリント回路基板との熱的接続のための長い距離を克服する必要がないからである。
【００１４】
本発明によるリレー機構の有利な一実施形態では、多層プリント回路基板は、主プリント回路基板の平面に実質的に垂直に配置される。主プリント回路基板の平面に対して多層プリント回路基板の位置を固定するための固定具が設けられ得る。前記実施形態では、対流気流は、多層プリント回路基板の熱放散を有利に付加的に支援することができる。
【００１５】
本発明によるリレー機構の更なる有利な実施形態では、リレーの第１の端子は、第２の端子と比べてより大きいライン断面で具現化され、且つリレーの静止動作接点に直接的に接続されるリレーの端子によって形成される。リレーの静止動作接点は、通常、可動動作接点よりも固くなるように具現化される。従って、静止動作接点に直接的に接続されるリレーの端子と平型導体とを確実に接続することにより、良好な熱伝達を実現することができる。
【００１６】
本発明によるリレー機構の更なる有利な実施形態では、多層プリント回路基板は、少なくとも１つの中央銅層と、この中央銅層を取り囲む２つの外側銅層とを有する。この場合、中央銅層は、測定機器に接続され、及び外側銅層は、第１の端子に同じものに接続される。従って、多層プリント回路基板の少なくとも２つの層を介して、リレーの第１の接点から、それに直列接続された他のリレーの第１の接点まで電流が伝導され、前記２つの層の両方間に少なくとも１つの更なる層が配置される。
【００１７】
更なる有利な実施形態では、少なくとも２つの直列接続されたリレー間の中間電位は、測定機器によって中央銅層において決定される。
【００１８】
中央銅層は、例えば、電圧測定システムに接続され、その結果として、２つの直列接続されたリレー間の地点における電位は、容量結合を介して決定され得る。少なくとも１つのリレーの接点が閉じているとき、この位置にＡＣ電圧が印加されることから、生じ得るＤＣ電圧成分が遮断されるため、容量結合が有利である。従って、２つの直列接続されたリレーの目標とされるスイッチングを行うことにより、且つそれら２つの直列接続されたリレーの上流及び下流の電圧比について知ることにより、２つの直列接続されたリレー間の接続点における電圧比を決定することにより、両方のリレーが正しく機能しているかをチェックすることができる。
【００１９】
本発明は、複数のインバータブリッジと、グリッド断路器としての本発明によるリレー機構の上述の実施形態の１つによるリレー機構とを有する変換装置に更に関する。
【００２０】
上記で更に説明したように、統合グリッド内で障害が発生した場合、前記変換装置をグリッドから確実に切断することができるように、統合グリッドに供給する変換装置に関して多くの場合に規則が存在する。この目的のため、２つのリレー又はより大きい装置の場合、１グリッド供給経路当たりの接触器は、多くの場合、直列接続され、その結果、あるリレーに欠陥が生じた場合、直列接続された２番目のものがグリッドの切断を実行することができる。
【００２１】
本発明による変換装置の有利な一実施形態では、前記変換装置は、複数の多相インバータブリッジを含む。複数のインバータブリッジの位相の電流、即ち個々のインバータブリッジの同相のそれぞれの電流は、少なくとも２つの直列接続されたリレーのリレー接点を介してそれぞれ個別に伝導される。位相の電流は、少なくとも２つの直列接続されたリレーの第２の端子の１つにおいて結合されて結合位相接続を形成する。
【００２２】
本発明による変換装置の更なる有利な実施形態では、複数のインバータブリッジの位相の電流は、同じリレーの異なるリレー接点を介して流れる。
【００２３】
本発明による変換装置が例えば２つの三相インバータブリッジを有する場合、位相１の２つの出力線がある（位相２及び３についても同様）。前記２つの出力線は、例えば、２つの直列接続された２極リレーを介して個別に導かれ得る。２つの出力線は、第２のリレーのグリッド側の出力において結合され、１つの出力線として変換装置のグリッド接続に供給され得る。
【００２４】
本発明による変換装置の別の有利な実施形態では、複数のインバータブリッジの位相の電流は、異なるリレーのリレー接点を介して流れる。
【００２５】
従って、上述した例では、２つの出力線の各々は、例えば、各場合において２つの直列接続された単極リレーを介して導かれ、４つの単極リレーのグリッド側出力の１つにおいて結合され得る。２つの三相インバータブリッジの場合、ブリッジの３つの位相は、例えば、各場合において２つの直列接続された３極リレーを介して導かれ得、その結果、４つの３極リレーが必要になるか、又は同じ位相は、２つの直列接続された２極リレーを介して導かれ得、その結果、６つの２極リレーが必要になる。
【００２６】
本発明によるリレー機構の形態をした上述したグリッド切断リレーの実施形態は、同様にコンパクトな設計をもたらし、これは、信頼性の高い熱放散のために変換装置の堅牢で安全な動作をもたらす。
【００２７】
本発明について図面を使用して実施形態に基づいて以下に説明し、これらの図面を請求項の特徴と併せて考慮すると、本発明の更なる特徴、特性及び利点が明らかになる。
【図面の簡単な説明】
【００２８】
【図１】図１は、本発明によるリレー機構の一実施形態を示す。
【図２】図２は、図１による実施形態の斜視図を示す。
【図３】図３は、本発明によるリレー機構の更なる構成を示す。
【図４】図４は、本発明によるリレー機構を有するグリッド断路器の有利な構成を示す。
【図５】図５は、本発明によるリレー機構を有するグリッド断路器の更なる有利な構成を示す。
【発明を実施するための形態】
【００２９】
図１は、２つの直列接続されたリレー２、３を含む、本発明によるリレー機構１の一実施形態を示し、ここで、電子回路（図示せず）の入力接続部４、５は、リレー３の第２の端子７、８に導かれる。リレー接点１２、１１が閉じている場合、電流は、端子８からリレー３の第１の端子１０に流れることができる。リレー３の第１の端子１０は、平型導体１３を介してリレー２の第１の端子１５と直列接続される。電流は、リレー２のスイッチング接点及びリレー２の第２の端子１８を介してリレー機構１の出力接続部６まで流れ続ける。
【００３０】
一方、平型導体１３は、直列接続されたリレー２、３間の電気的接触を確立し、且つその平らな構成（図２も参照されたい）並びに導電性材料及び熱伝導性材料の両方の選択により、リレー２、３の動作中に発生する熱を放散させる役割を果たす。
【００３１】
リレー３の第１の端子９は、全く同様に平型導体１４を介してリレー２の第１の端子１６と直列接続される。リレー２の他のスイッチング接点を介してリレー２の第２の端子１７に流れる電流は、そこで端子１８からの電流と結合され、その結果、入力接続部４、５の電流は、リレー機構１の出力接続部６で結合される。このようにして、入力接続部４、５からの電流は、リレーによって構成される２つの直列回路を介して並列に伝導される。従って、低通電容量を有する費用対効果の高いリレーを使用し、比較的高い電流を依然として確実に切り替え、改善された熱放散のために安定であり且つ安全な動作を保証することが可能である。
【００３２】
平型導体１３、１４は、リレー２、３のそれぞれの第１の端子９、１０、１５、１６を接続し、第１の端子９、１０、１５、１６は、それぞれ静止接点、例えばリレー３の接点１１に接続される。これとは対照的に、リレー２、３の第２の端子７、８、１７、１８は、リレー２、３の可動接点、例えばリレー３の接点１２に接続される。リレーの静止動作接点は、通常、可動動作接点よりも固くなるように具現化される。従って、平型導体と第１の端子９、１０、１５、１６とを確実に接続することにより、良好な熱伝達を実現することができる。
【００３３】
図２は、図１による実施形態の斜視図を示す。電子回路（図示せず）の入力接続部４’、５’は、主プリント回路基板（図示せず）上の導体トラックとして具現化される。リレー２’、３’は、主プリント回路基板にはんだ付けされ、それにより導体トラックに電気的に接続され、同時に主プリント回路基板自体に機械的に接続され、その結果、リレー２’、３’のハウジングは、主プリント回路基板の平面に垂直になる。平型導体１３’、１４’は、同様に主プリント回路基板の平面に垂直に配置され、これは、リレーの動作中に発生する熱の放散に有利である。平型導体１３’、１４’は、その間に電気絶縁層を有する積層バスバーとして又は多層プリント回路基板として具現化され得、それらは、同様にリレーのように主プリント回路基板にはんだ付けされる。
【００３４】
図３は、本発明によるリレー機構１の更なる構成を示し、入力接続部５’’は、リレー１２’’の第２の端子８’’に接続される。リレー１２’’が閉じると、リレー１２’’の第１の端子１０’’を介して接続点２０まで電流が流れ、接続点２０からの電流は、２つの平型導体２１、２３又は多層プリント回路基板の２つの導体トラック２１、２３にわたって分割される。従って、更なる熱拡散を実現することができる。接続点２５によって接触接続することができる中央導体トラック２２が導体トラック２１、２３間に配置される。ここで、例えば、測定機器（図示せず）を接続することができる。２つの平型導体２１、２３又は２つの導体トラック２１、２３に電流を分割した後、電流は、リレー接点２’’を通過して出力接続部６’’に供給されるために接続点２６で再び結合される。
【００３５】
従って、外側銅層２１、２３は、それぞれのリレー接点１２’’、２’’の第１の端子の同じものに接続される。内側銅層２２は、仮想キャパシタンス２８、２９を介して外側銅層２１、２３と結合され、これは、前記キャパシタンス２８、２９が別々の構成要素を構成するのではなく、銅層の並列配置を通じて本質的に生成されることを意味する。
【００３６】
リレー接点１２’’、２’’の正しい機能は、リレーの上流及び下流の電流経路内に配置された他の測定機器と共に、接続点２５に接続された測定機器によってチェックすることができる。
【００３７】
図４は、例えば、複数のインバータブリッジＷＲ１、ＷＲ２（図示せず）を有する変換装置のためのグリッド断路器の有利な構成を示す。複数のインバータブリッジＷＲ１、ＷＲ２は、三相電流を形成し、この電流は、変換装置の出力の上流で結合され、即ち、前記インバータブリッジは、並列インバータブリッジであり、三相出力電流の１つの位相の電流は、各場合において２つのインバータブリッジによって形成される。図４は、２極リレーＲ１、Ｒ２、Ｒ３、Ｒ４、Ｒ５、Ｒ６上の三相出力電流の位相の可能な分割を示す。２つのインバータブリッジの位相Ｌ１の電流は、ここで、Ｌ１−ＷＲ１及びＬ１−ＷＲ２によって示され、インバータブリッジから到来して、各場合においてＲ１及びＲ６並びにＲ２及びＲ５によって形成される本発明による１つのリレー機構を介して伝導され、出力接続部３０で結合される。２極リレーのそれぞれの他のスイッチング接点は、他の位相又は他のインバータブリッジによって使用される。２つのインバータブリッジの位相Ｌ２の電流は、Ｌ２−ＷＲ１及びＬ２−ＷＲ２によって示され、インバータブリッジから到来して、各場合においてＲ２及びＲ５並びにＲ３及びＲ４によって形成される本発明による１つのリレー機構を介して伝導される。この例では、Ｒ３及びＲ４並びにＲ１及びＲ６の組み合わせがＬ３に対して使用される。即ち、個々のインバータブリッジの同一の位相のそれぞれの電流が異なるリレーのリレー接点を介して個別に伝導される。位相の電流は、本発明によるリレー機構の少なくとも２つの直列接続されたリレーの第２の端子の１つにおいて結合されて結合位相接続を形成する。
【００３８】
図５は、本発明によるリレー機構を有するグリッド断路器の更なる有利な構成を示し、２極リレーＲ１’、Ｒ２’、Ｒ３’、Ｒ４’、Ｒ５’、Ｒ６’上の三相出力電流の位相の別の分割を示す。Ｌ１−ＷＲ１及びＬ１−ＷＲ２によって図４に示されるように、２つのインバータブリッジの位相Ｌ１の電流は、インバータブリッジから到来して、Ｒ１’及びＲ６’によって形成される本発明によるリレー機構を介して伝導される。インバータブリッジ１の電流成分Ｌ１−ＷＲ１は、リレーＲ１’の接点を介して伝導され、第２の電流成分Ｌ１−ＷＲ２は、リレーＲ１’の他の接点を介して伝導され、次いで本発明によるリレー機構により、直列接続されたリレーＲ６’の２つの接点を介して伝導される。位相Ｌ１の電流は、リレーＲ６’の第２の端子３０’で結合される。
【符号の説明】
【００３９】
１、１’  リレー機構
２、２’、２’’  リレー
３、３’  リレー
４、４’  入力接続部
５、５’、５’’  入力接続部
６、６’、６’’  出力接続部
７  端子
８、８’’  端子
９、９’  端子
１０、１０’、１０’’  端子
１１  接点
１２、１２’’  接点
１３、１３’  導体
１４、１４’  導体
１５、１５’  端子
１６  端子
１７  端子
１８  端子
２０  接続点
２１  導体
２２  導体
２３  導体
２５  接続点
２６  接続点
２８  キャパシタンス
２９  キャパシタンス
３０、３０’  接続部
Ｌ１、Ｌ２、Ｌ３  位相
Ｌ１−ＷＲ１、．．．、Ｌ３−ＷＲ３  位相
【図１】
2020505731.tif 000003
【図２】
2020505731.tif 000004
【図３】
2020505731.tif 000005
【図４】
2020505731.tif 000006
【図５】
2020505731.tif 000007
【国際調査報告】
2020505731.tif 000008
2020505731.tif 000009
2020505731.tif 000010
2020505731.tif 000011